(57)【要約】【課題】本発明の課題は、液滴吐出ヘッドを高精度に固定可能なヘッドモジュール及び画像形成装置を提供することである。【解決手段】本発明のヘッドモジュール１０は、液滴吐出ヘッド２０が固定ネジ３１によって保持基板３０に固定されたヘッドモジュール１０であって、液滴吐出ヘッド２０に設けられた位置固定部２３に少なくとも２つの面で当接する当接部４０ｂと、ネジ孔４０ａとを有する第１部材４０と、ネジ孔４１ａを有し、第１部材４０の上面に当接する第２部材４１と、を備え、位置固定部２３は、ネジ孔２３ａを有し、固定ネジ３１は、軸部３１ａが、第２部材４１、第１部材４０、及び位置固定部２３のそれぞれのネジ孔４１ａ，４０ａ，２３ａを順に貫通して、液滴吐出ヘッド２０を保持基板３０に固定しており、第１部材４０と第２部材４１との当接面は、保持基板３０の形成面に対して傾斜していることを特徴とする。【選択図】図５
2018001414.tif 000002
【特許請求の範囲】
【請求項１】
液滴を吐出する液滴吐出ヘッドが固定ネジによって保持基板に固定されたヘッドモジュールであって、
前記液滴吐出ヘッドに設けられた位置固定部に少なくとも２つの面で当接する当接部と、前記固定ネジが通過するネジ孔と、を有する第１部材と、
前記固定ネジが通過するネジ孔を有し、前記第１部材の上面に当接する第２部材と、
を備え、
前記位置固定部は、前記固定ネジが通過するネジ孔を有し、
前記固定ネジは、軸部が、前記第２部材、前記第１部材、及び前記位置固定部のそれぞれのネジ孔を順に貫通して、前記液滴吐出ヘッドを前記保持基板に固定しており、
前記第１部材と前記第２部材との当接面は、前記保持基板の形成面に対して傾斜していることを特徴とするヘッドモジュール。
【請求項２】
前記少なくとも２つの面は、前記保持基板の形成面に平行な面と、前記保持基板の形成面に垂直な面とを有することを特徴とする請求項１に記載のヘッドモジュール。
【請求項３】
前記保持基板上に、側面に曲面部を有する固定部材が設けられており、
前記固定部材は、前記位置固定部から、前記第１部材と前記第２部材との当接面に垂直な方向に力が加えられた際の前記保持基板と平行な面に対する分力の方向に配置され、かつ、前記曲面部に前記位置固定部が当接していることを特徴とする請求項１又は２に記載のヘッドモジュール。
【請求項４】
前記液滴吐出ヘッドに当接し、前記液滴吐出ヘッドを前記固定部材に付勢する付勢手段を備えることを特徴とする請求項３に記載のヘッドモジュール。
【請求項５】
前記保持基板上に、前記液滴吐出ヘッドの保持位置の基準となる位置基準部が設けられており、
前記液滴吐出ヘッドが、前記位置基準部に回動可能な状態で当接していることを特徴とする請求項１〜４のいずれか一項に記載のヘッドモジュール。
【請求項６】
前記液滴吐出ヘッドには、前記位置固定部が設けられた位置とは反対側の側面から突出する突出部が設けられ、
前記突出部は、前記位置基準部に当接するＶ溝部を有することを特徴とする請求項５に記載のヘッドモジュール。
【請求項７】
前記当接面と前記形成面との二面角が、４５度以上９０度未満であることを特徴とする請求項１〜６のいずれか一項に記載のヘッドモジュール。
【請求項８】
前記液滴吐出ヘッドが２次元に複数配列されていることを特徴とする請求項１〜７のいずれか一項に記載のヘッドモジュール。
【請求項９】
請求項１〜８のいずれか一項に記載のヘッドモジュールを備えることを特徴とする画像形成装置。
【発明の詳細な説明】
【技術分野】
【０００１】
本発明は、ヘッドモジュール及び画像形成装置に関する。
【背景技術】
【０００２】
従来、液滴吐出ヘッドに備えられた複数のノズルからインクの液滴を吐出して記録媒体に画像を形成するインクジェット記録装置が知られている。
【０００３】
近年、インクジェット記録装置の小型化及び形成される画像の高解像度化に伴い、多数のノズルが高密度に配置された液滴吐出ヘッドが開発されてきている。また、印字長を長くして印刷の高速化を達成するために、当該液滴吐出ヘッドを複数搭載したヘッドモジュール、及び当該ヘッドモジュールを搭載した画像形成装置が開発されてきている。
【０００４】
このようなヘッドモジュールでは、液滴吐出ヘッドの保持位置や取付け角度を精密に制御して、液滴吐出ヘッドの保持基板に取り付ける必要がある。
液滴吐出ヘッドの保持基板への保持位置や取付け角度を調整する方法としては、例えば、保持基板（キャリッジ）に固定された位置基準ピン（先端基準ピン）に液滴吐出ヘッドのＶ溝部を当接させて位置調整し、液滴吐出ヘッドを保持基板に板バネで押さえつけながらネジで固定する方法が開示されている（特許文献１参照）。
【先行技術文献】
【特許文献】
【０００５】
【特許文献１】特許第４８９２８４６号公報
【発明の概要】
【発明が解決しようとする課題】
【０００６】
しかしながら、特許文献１のような液滴吐出ヘッドでは、ネジで液滴吐出ヘッドを保持基板に固定する際に、ネジ固定のために加える力によって、液滴吐出ヘッドの保持位置がわずかにずれる場合があった。そして、保持位置がわずかにずれた状態で印刷をすると、特に多数のノズルが高精度に位置決めされた液滴吐出ヘッドでは、形成した画像にスジやムラが生じて画像が劣化するという問題があった。
【０００７】
本発明は、このような問題に鑑みてなされたものであり、液滴吐出ヘッドを高精度に固定可能なヘッドモジュール及び当該ヘッドモジュールを備えた画像形成装置を提供することである。
【課題を解決するための手段】
【０００８】
上記課題を解決するため、請求項１に記載の発明は、
液滴を吐出する液滴吐出ヘッドが固定ネジによって保持基板に固定されたヘッドモジュールであって、
前記液滴吐出ヘッドに設けられた位置固定部に少なくとも２つの面で当接する当接部と、前記固定ネジが通過するネジ孔と、を有する第１部材と、
前記固定ネジが通過するネジ孔を有し、前記第１部材の上面に当接する第２部材と、
を備え、
前記位置固定部は、前記固定ネジが通過するネジ孔を有し、
前記固定ネジは、軸部が、前記第２部材、前記第１部材、及び前記位置固定部のそれぞれのネジ孔を順に貫通して、前記液滴吐出ヘッドを前記保持基板に固定しており、
前記第１部材と前記第２部材との当接面は、前記保持基板の形成面に対して傾斜していることを特徴とする。
【０００９】
請求項２に記載の発明は、請求項１に記載のヘッドモジュールにおいて、
前記少なくとも２つの面は、前記保持基板の形成面に平行な面と、前記保持基板の形成面に垂直な面とを有することを特徴とする。
【００１０】
請求項３に記載の発明は、請求項１又は２に記載のヘッドモジュールにおいて、
前記保持基板上に、側面に曲面部を有する固定部材が設けられており、
前記固定部材は、前記位置固定部から、前記第１部材と前記第２部材との当接面に垂直な方向に力が加えられた際の前記保持基板と平行な面に対する分力の方向に配置され、かつ、前記曲面部に前記位置固定部が当接していることを特徴とする。
【００１１】
請求項４に記載の発明は、請求項３に記載のヘッドモジュールにおいて、
前記液滴吐出ヘッドに当接し、前記液滴吐出ヘッドを前記固定部材に付勢する付勢手段を備えることを特徴とする。
【００１２】
請求項５に記載の発明は、請求項１〜４のいずれか一項に記載のヘッドモジュールにおいて、
前記保持基板上に、前記液滴吐出ヘッドの保持位置の基準となる位置基準部が設けられており、
前記液滴吐出ヘッドが、前記位置基準部に回動可能な状態で当接していることを特徴とする。
【００１３】
請求項６に記載の発明は、請求項５に記載のヘッドモジュールにおいて、
前記液滴吐出ヘッドには、前記位置固定部が設けられた位置とは反対側の側面から突出する突出部が設けられ、
前記突出部は、前記位置基準部に当接するＶ溝部を有することを特徴とする。
【００１４】
請求項７に記載の発明は、請求項１〜６のいずれか一項に記載のヘッドモジュールにおいて、
前記当接面と前記形成面との二面角が、４５度以上９０度未満であることを特徴とする。
【００１５】
請求項８に記載の発明は、請求項１〜７のいずれか一項に記載のヘッドモジュールにおいて、
前記液滴吐出ヘッドが２次元に複数配列されていることを特徴とする。
【００１６】
請求項９に記載の発明は、
請求項１〜８のいずれか一項に記載のヘッドモジュールを備えることを特徴とする画像形成装置である。
【発明の効果】
【００１７】
本発明によれば、液滴吐出ヘッドを高精度に固定可能なヘッドモジュール及び当該ヘッドモジュールを備えた画像形成装置を提供することである。
【図面の簡単な説明】
【００１８】
【図１】画像形成装置の概略構成を示す斜視図
【図２】ヘッドモジュールの斜視図
【図３】ヘッドモジュールの底面図
【図４】ヘッドモジュールの一部を示す平面図
【図５】ヘッドモジュールの一部を示す右側面図
【図６】ヘッドモジュールの一部を示す左側面図
【図７】ヘッドモジュールの変形例の一部を示す左側面図
【発明を実施するための形態】
【００１９】
以下、図面を参照しながら、本発明の好ましい実施形態について説明する。但し、発明の範囲は図示例に限定されない。
【００２０】
［画像形成装置の概略］
画像形成装置１００は、プラテン１０１、搬送ローラー１０２、及びラインヘッド２００，２０１，２０２，２０３等を備える（図１）。
なお、記録媒体Ｋの搬送方向を前後方向、記録媒体Ｋの搬送面において当該搬送方向に直交する印字幅方向を左右方向、前後方向及び左右方向に垂直な方向を上下方向として説明する。
【００２１】
プラテン１０１は、上面に記録媒体Ｋを支持しており、搬送ローラー１０２が駆動されると、記録媒体Ｋを搬送方向（前後方向）に搬送する。
ラインヘッド２００，２０１，２０２，２０３は、記録媒体Ｋの搬送方向（前後方向）の上流側から下流側にかけて、搬送方向に直交する幅方向（左右方向）に並列して設けられている。そして、ラインヘッド２００，２０１，２０２，２０３の内部には、それぞれヘッドモジュール１０が少なくとも一つ設けられており、例えば、シアン（Ｃ）、マゼンタ（Ｍ）、イエロー（Ｙ）、黒（Ｋ）のインクを記録媒体Ｋに向けてそれぞれ吐出する。
【００２２】
なお、ラインヘッドを用いた記録媒体の搬送のみで描画を行う１パス描画方式での実施形態を例にして説明したが、適宜の描画方式に適用可能であり、例えば、スキャン方式を用いた描画方式を採用しても良い。
【００２３】
［ヘッドモジュール］
ヘッドモジュール１０は、液滴を射出する液滴吐出ヘッド２０と、液滴吐出ヘッド２０を着脱自在に保持する保持基板３０等を備える（図２〜７）。
なお、図４〜７については、説明の便宜のため、ヘッドモジュール１０のうち、１つの液滴吐出ヘッド２０の周辺部のみを拡大して図示している。
【００２４】
ヘッドモジュール１０は、少なくとも１つの液滴吐出ヘッド２０が、固定ネジ３１によって保持基板３０に固定されている。液滴吐出ヘッド２０は、液滴吐出ヘッド２０の底面に設けられたノズルＮが所定の位置になるように位置合わせが行われた後、固定ネジ３１によって保持基板３０に固定されている。また、液滴吐出ヘッド２０は、底面が保持基板３０に設けられた開口部から露出するように、保持基板３０に固定されており、ヘッドモジュール１０の下側からインクの液滴を吐出できるようになっている。
【００２５】
また、ヘッドモジュール１０に複数の液滴吐出ヘッド２０が搭載される場合には、例えば、保持基板３０に液滴吐出ヘッド２０が、２次元に複数配列するように構成されることが好ましい。図２には、本実施形態のヘッドモジュール１０の一例として、４つの液滴吐出ヘッド２０が、全体として千鳥格子状となるように左右方向に２つ、前後方向に２つの２次元に配列された構成の例を示している。
【００２６】
液滴吐出ヘッド２０は、底面側から液滴を吐出する複数のノズルＮが配列された液滴吐出部２１と（図３参照）、複数のノズルＮのそれぞれに供給するインクを貯留するインク室２２等によって構成されている。
【００２７】
液滴吐出部２１は、内部に各ノズルＮに対応する圧力室（図示省略）を有しており、当該圧力室にはインク室２２から供給されたインクが貯留されている。そして、当該圧力室に面して設けられた圧力発生手段としての圧電素子（図示省略）が変位することで、圧力室のインクが加圧されると、ノズルＮからインクの液滴が吐出するように構成されている。なお、圧力発生手段は、液滴を吐出できれば適宜変更可能であり、サーマル（電気熱変換素子）を使用しても良い。
【００２８】
インク室２２は、液滴吐出部２１に供給するインクを貯留しており、例えば、シアン（Ｃ）、マゼンタ（Ｍ）、イエロー（Ｙ）及び黒（Ｋ）のうちいずれか１色が貯留されている。また、インク室２２は、液滴吐出ヘッド２０の外部からインク室２２内にインクを供給するインク供給部２２１と、インク室２２内のインクを液滴吐出ヘッド２０の外部に排出するインク排出部２２２と、をそれぞれ上部に備えている。
【００２９】
また、液滴吐出ヘッド２０の本体部には、保持基板３０に垂直な側面から突出した位置固定部２３と、当該位置固定部２３が設けられた位置とは反対側の側面から突出した突出部２４とが設けられている（図４等参照）。
【００３０】
位置固定部２３は、保持基板３０に設けられた付勢手段としての板バネ３３によって、保持基板３０上に固定された固定部材３２に対して付勢されており、位置固定部２３が固定部材３２に対して突き当てられた状態で固定されている。固定部材３２は、側面に曲面部を有し、当該曲面部に対して、位置固定部２３が突き当てられるようになっている。固定部材３２は、その形状は特に限られないが、図５に示すように、下方向に向かって先細りとなるテーパー形状の部材により形成されていることが好ましい。
【００３１】
また、位置固定部２３は、図５に示すように、固定ネジ３１の軸部３１ａが、第２部材４１、第１部材４０、及び位置固定部２３のそれぞれのネジ孔４１ａ、４０ａ、２３ａを順に貫通して、保持基板３０に固定されている。ネジ孔４１ａ、４０ａ、２３ａは、固定ネジ３１の軸部３１ａが通過できればよく、溝部であっても孔部であってもよい。
【００３２】
第１部材４０は、位置固定部２３に少なくとも２つの面で当接する当接部４０ｂと、固定ネジ３１が通過するネジ孔４０ａとが設けられている。ここで、当接部４０ｂにおける少なくとも２つの面は、第１部材４０及び位置固定部２３を保持基板３０に押さえつけやすくする観点から、保持基板３０の形成面に平行な面と、保持基板３０の形成面に垂直な面とを有するように構成することが好ましい。このような当接部４０ｂとしては、例えば図５に示すように、Ｌ字状に屈曲した２つの面で当接するように構成することができる。
第２部材４１は、第１部材４０の上面に当接しており、固定ネジ３１が通過するネジ孔４１ａが設けられている。
【００３３】
ここで、第１部材４０と第２部材４１との当接面は、保持基板３０の形成面に対して傾斜している。これにより、固定ネジ３１を閉める際に加える力の一部を、第２部材４１を、第１部材４０と第２部材４１との当接面に平行な方向に押し下げる方向に分散させ、ネジ固定する際の余分な力が液滴吐出ヘッド２０に伝わりにくくすることができる。したがって、液滴吐出ヘッドの保持基板３０に対する保持位置のずれを効果的に抑えることができ、液滴吐出ヘッド２０を高精度に固定することができる。
また、第１部材４０と第２部材４１との当接面と、保持基板３０の形成面との２面角θ（図５参照）は、上記説明した効果を有効に得る観点から、４５度以上９０度未満であることが好ましい。
【００３４】
また、位置固定部２３から、第１部材４０と第２部材４１との当接面に垂直な方向に力が加えられた際の、保持基板３０と平行な面に対する分力の方向（図５の前方向）に、固定部材３２が配置されていることが好ましい。
【００３５】
本実施形態の液滴吐出ヘッド２０を固定ネジ３１によって保持基板３０に固定する場合、第１部材４０と第２部材４１との当接面が保持基板の３０の形成面に傾斜しているため、ネジを回しで固定する際に加えられた力が、第１部材４０と第２部材４１との当接面に垂直な方向に加えられる。つまり、ネジ回しした際に加えられる力によって位置固定部２３が移動する方向を制御することができる。
そして、位置固定部２３から、第１部材４０と第２部材４１との当接面に垂直な方向に加えられた際の保持基板３０と平行な面に対する分力の方向（図５の前方向）に、固定部材３２を配置することで、液滴吐出ヘッド２０の位置ずれを発生させる力を効率的に抑えることができる。
また、ねじ回しを行う際には、同時に、保持基板３０と垂直な面に対する分力の方向（図５の下方向）にも力が加わるので、位置固定部２３を保持基板に３０に抑えつつ、位置固定部２３の保持位置のずれを抑えて固定することができる。
【００３６】
突出部２４は、側面にＶ溝部２４ｂを有している。Ｖ溝部２４ｂは、保持基板３０上に固定された保持位置の位置基準部としての位置基準ピン３４に回動可能な状態で当接している（図６）。また、液滴吐出ヘッド２０の本体部が、保持基板３０に設けられた付勢手段としての板バネ３３によって位置基準ピン３４側に付勢されているため、Ｖ溝部２４ｂが位置基準ピン３４に突き当てられた状態で固定されている。
なお、位置基準ピン３４の形状は、位置固定部２３が安定して当接できるようになっていれば、適宜選択可能である。
【００３７】
また、図７に示す変形例のように、突出部２４も、位置固定部２３と同様の方法で、保持基板３０に固定してもよい。
具体的には、突出部２４にネジ孔２４ａを設け、固定ネジ３１の軸部３１ａが、第２部材４１、第１部材４０、及び突出部２４のそれぞれのネジ孔４１ａ、４０ａ、２４ａを順に貫通して、突出部２４が保持基板３０に固定されることとしてもよい。この変形例の実施形態では、突出部２４が、本実施形態の位置固定部２３と対応して、保持基板３０への固定部として機能する。また、位置基準ピン３４（位置基準部）が、本実施形態の位置固定部２３を固定するための固定部材３２と対応して、突出部２４を固定するための部材として機能する。
【００３８】
また、液滴吐出ヘッド２０は、少なくとも１箇所が保持基板３０に固定されていればよく、例えば、位置固定部２３及び突出部２４の両方で固定されていてもよく、位置固定部２３及び突出部２４のいずれか一方で固定されていてもよい。
【００３９】
［本発明の技術的効果］
以上のように、本実施形態のヘッドモジュール１０は、液滴吐出ヘッド２０に設けられた位置固定部２３に少なくとも２つの面で当接する当接部４０ｂと、固定ネジ３１が通過するネジ孔と、を有する第１部材４０と、固定ネジ３１が通過するネジ孔４１ａを有し、第１部材４０の上面に当接する第２部材４１と、を備える。また、固定ネジ３１は、軸部３１ａが、第２部材４１、第１部材４０、及び位置固定部２３のそれぞれのネジ孔４１ａ，４０ａ，２３ａを順に貫通して、液滴吐出ヘッド２０を保持基板３０に固定しており、第１部材４０と第２部材４１との当接面は、保持基板３０の形成面に対して傾斜している。
これにより、固定ネジ３１を閉める際に加える力の一部を、第２部材４１を、第１部材４０と第２部材４１との当接面に平行な方向に押し下げる方向に分散させ、ネジ固定する際の余分な力が液滴吐出ヘッド２０に伝わりにくくすることができる。したがって、液滴吐出ヘッド２０の保持基板３０に対する保持位置のずれを効果的に抑えることができ、液滴吐出ヘッド２０を高精度に固定することができた。
さらに、第１部材４０と第２部材４１との当接面が保持基板３０の形成面に傾斜しているため、固定ネジ３１を閉める際に加えられる力が、第１部材４０と第２部材４１との当接面に垂直な方向にも加えられる。つまり、ネジ回しした際に加えられる力の方向を制御することができる。ここで、従来のネジ固定を行う方法では、固定ネジ３１によって液滴吐出ヘッド２０を保持基板３０に固定する際に、瞬間的に最大静止摩擦力以上の力がいずれかの方向にかかることで、予測不能な方向へ位置ずれが発生しやすかった。これに対し、本実施形態の方法では、液滴吐出ヘッド２０に伝わる力の方向を制御することができる。
【００４０】
また、本実施形態のヘッドモジュール１０は、当接部４０ｂにおける少なくとも２つの面が、保持基板３０の形成面に平行な面と、保持基板３０の形成面に垂直な面とを有することが好ましい。これにより、第１部材４０が位置固定部２３を保持基板３０に押さえつけやすくすることができる。
【００４１】
また、本実施形態のヘッドモジュール１０は、保持基板３０上に、側面に曲面部を有する固定部材３２が設けられており、固定部材３２は、位置固定部２３から、第１部材４０と第２部材４１との当接面に垂直な方向に力が加えられた際の保持基板３０と平行な面に対する分力の方向に配置され、かつ、当該曲面部に位置固定部２３が当接していることが好ましい。これにより、位置固定部２３がずれる方向を固定部材３２で押さえつけることができるので、保持位置のずれを効果的に抑えることができる。
【００４２】
また、本実施形態のヘッドモジュール１０は、液滴吐出ヘッド２０に当接し、液滴吐出ヘッド２０を固定部材３２に付勢する付勢手段としての板バネ３３を備えることが好ましい。これにより、位置固定部２３がずれる方向を固定部材３２で押さえつけることができるので、保持位置のずれを効果的に抑えることができる。
【００４３】
また、本実施形態のヘッドモジュール１０は、保持基板３０上に、液滴吐出ヘッド２０の保持位置の基準となる位置基準部としての位置基準ピン３４が設けられていることが好ましい。これにより、液滴吐出ヘッド２０の保持基板３０に対する保持位置の位置合わせを、より高精度に行うことができる。
【００４４】
また、本実施形態のヘッドモジュール１０は、液滴吐出ヘッド２０には、位置固定部２３が設けられた位置とは反対側の側面から突出する突出部２４が設けられ、突出部２４は、位置基準ピン３４に当接するＶ溝部２４ｂを有することが好ましい。これにより、位置基準部での位置固定をより安定化し、液滴吐出ヘッド２０の保持基板３０に対する保持位置の位置合わせを、より高精度に行うことができる。
【００４５】
また、本実施形態のヘッドモジュール１０は、本発明の効果を有効に得る観点から、第１部材４０と第２部材４１との当接面と、保持基板３０の形成面との二面角が、４５度以上９０度未満であることが好ましい。
【００４６】
また、本実施形態のヘッドモジュール１０は、液滴吐出ヘッド２０が２次元に複数配列されている構成に好適に適用できる。
【００４７】
［その他］
本発明の今回開示された実施の形態は、全ての点で例示であって制限的なものではないと考えられるべきである。本発明の範囲は、上記した詳細な説明に限定されるものではなく特許請求の範囲によって示され、特許請求の範囲と均等の意味及び範囲内での全ての変更が含まれることが意図される。
【００４８】
例えば、第１部材４０は、位置固定部２３と少なくとも２つの面で当接する当接部４０ｂを有し、その一例として、本実施形態ではＬ字状に屈曲した２つの面で当接する当接部４０ｂを示したが、本発明の効果を得ることができれば構成は適宜変更可能である。例えば、保持基板３０と垂直な面が２つ、保持基板３０と平行な面が１つの計３面で当接することとしてもよい。
【００４９】
また、位置固定部２３を固定部材３２に付勢する手段として、板バネ３３の例を示したが、同様の効果を奏するもので手段であれば、適宜変更可能である。また、板バネ３３によって、液滴吐出ヘッド２０の本体を固定部材３２に向かって付勢する例を示したが、同様の効果が得られれば付勢する箇所は適宜変更可能である。
【符号の説明】
【００５０】
１０  ヘッドモジュール
２０  液滴吐出ヘッド
２３  位置固定部
２３ａ  ネジ孔
２４  突出部
２４ａ  ネジ孔
２４ｂ  Ｖ溝部
３０  保持基板
３１  固定ネジ
３１ａ  軸部
３２  固定部材
３３  板バネ(付勢手段)
３４  位置基準ピン（位置基準部）
４０  第１部材
４０ａ  ネジ孔
４０ｂ  当接部
４１  第２部材
４１ａ  ネジ孔
１００  画像形成装置
【図１】
2018001414.tif 000003
【図２】
2018001414.tif 000004
【図３】
2018001414.tif 000005
【図４】
2018001414.tif 000006
【図５】
2018001414.tif 000007
【図６】
2018001414.tif 000008
【図７】
2018001414.tif 000009